(57)【要約】【課題】データ設定端末からの変更を行わずに所定の通行権限を所持したカードの発行を行うことができる出入管理装置を提供する。【解決手段】通行人が保持する可搬記憶媒体の可搬記憶媒体自身の固有識別データを読み取り、この固有識別データをもとに通行可否判定を行う出入管理装置において、上記可搬記憶媒体が自らの可搬記憶媒体の可搬記憶媒体自身の固有識別データとは別に、別の可搬記憶媒体の可搬記憶媒体自身の固有識別データをデータとして書き込まれている場合、通行可否判定時に上記可搬記憶媒体の自らの固有識別データによる通行可否判定を行い、通行不可の場合に上記データとして書き込まれている固有識別データによる通行可否判定を行う通行可否判定手段を備えた。【選択図】        図４
2005030043.tif 000002
【特許請求の範囲】
【請求項１】
通行人が保持する可搬記憶媒体の可搬記憶媒体自身の固有識別データを読み取り、この固有識別データをもとに通行可否判定を行う出入管理装置において、上記可搬記憶媒体が自らの可搬記憶媒体の可搬記憶媒体自身の固有識別データとは別に、別の可搬記憶媒体の可搬記憶媒体自身の固有識別データをデータとして書き込まれている場合、通行可否判定時に上記可搬記憶媒体の自らの固有識別データによる通行可否判定を行い、通行不可の場合に上記データとして書き込まれている固有識別データによる通行可否判定を行う通行可否判定手段を備えたことを特徴とする出入管理装置。
【請求項２】
上記可搬記憶媒体が再発行される可搬記憶媒体である場合に、再発行前の可搬記憶媒体の可搬記憶媒体自身の固有識別データがデータとして書き込まれることを特徴とする請求項１に記載の出入管理装置。
【請求項３】
上記可搬記憶媒体が臨時に発行された可搬記憶媒体である場合に、通行可否判定で通行が許可される可搬記憶媒体の可搬記憶媒体自身の固有識別データがデータとして書き込まれることを特徴とする請求項１に記載の出入管理装置。
【請求項４】
上記可搬記憶媒体の可搬記憶媒体自身の固有識別データによる通行可否判定と上記データとして書き込まれた固有識別データによる通行可否判定を区別して記録する記録手段を備えたことを特徴とする請求項１ないし３のいずれか１項に記載の出入管理装置。
【請求項５】
上記可搬記憶媒体の可搬記憶媒体自身の固有識別データによる通行可否判定と上記データとして書き込まれた固有識別データによる通行可否判定を区別して報知する報知手段を備えたことを特徴とする請求項１ないし３のいずれか１項に記載の出入管理装置。
【発明の詳細な説明】
【０００１】
【発明の属する技術分野】
この発明は人や物の出入を管理する出入管理装置に関するものである。
【０００２】
【従来の技術】
近年、ビルや建物の扉にカード読取り装置や電気錠を備えカードやタグの固有番号により人や物の出入りを管理する出入管理装置やセキュリティ装置が普及してきている（例えば特許文献１参照）。
【０００３】
【特許文献１】
特開平６−１８５２４９号公報
【０００４】
【発明が解決しようとする課題】
さらに近年、ＩＣチップをカードやタグ内に埋め込み、ＩＣチップとの無線による通信によりカード内のデータを読み込む方式が一般的になってきている。ＩＣチップには、製造時や発行時に固有の番号（カード番号）が書込まれ、この番号は簡単に変更することができないので、改ざんなどの不正な行為を防ぐことができる。このカード番号が出入管理のカードの識別に利用されている。この場合には、通行の履歴管理のために必要な個人番号とカード固有のカード番号との対応をシステム内で行う必要がある。従来の出入管理装置では、カード所有者がカードを忘れた場合や来訪者に対して臨時でカードを発行することがあるが、カードを有効にするためにはデータ設定端末により、個人番号とカード番号を登録する必要がある。しかし、来訪者が多い場合などカードの発行の都度データを登録する作業負荷が多くなることや設定データが端末コントローラに送信されるまで通行できないという問題があった。
【０００５】
本発明はこの課題を解決するためのもので、データ設定端末からの変更を行わずに所定の通行権限を所持したカードの発行を行うことができる出入管理装置を提供することを目的とする。
【０００６】
【課題を解決するための手段】
上記の目的に鑑み、この発明は、通行人が保持する可搬記憶媒体の可搬記憶媒体自身の固有識別データを読み取り、この固有識別データをもとに通行可否判定を行う出入管理装置において、上記可搬記憶媒体が自らの可搬記憶媒体の可搬記憶媒体自身の固有識別データとは別に、別の可搬記憶媒体の可搬記憶媒体自身の固有識別データをデータとして書き込まれている場合、通行可否判定時に上記可搬記憶媒体の自らの固有識別データによる通行可否判定を行い、通行不可の場合に上記データとして書き込まれている固有識別データによる通行可否判定を行う通行可否判定手段を備えたことを特徴とする出入管理装置にある。
【０００７】
【発明の実施の形態】
本発明による出入管理装置では、カードの発行時に同一の通行が許可されているカードのカード番号をカード内のデータ領域にデータとして書込み発行する。端末コントローラはカード番号の読込時にデータ領域に書込まれているカード番号も合せて読込み、両方のカード番号で照合を行う。これにより、データ設定端末からの変更を行わずに所定の通行権限を所持したカードの発行を行うことができる。
【０００８】
もう少し詳しく説明すると、カード所有者がカードを忘れた場合にカードを再発行したり、また来訪者に対して臨時でカードを発行したりすることがあるが、この場合に、発行するカードにはこのカード固有のカード番号があるが、この他に再発行の場合には以前使用していたカードのカード番号、臨時カードの場合には通行が許可されるカード番号をデータとしてカードのデータ領域に書き込んでおく。そして端末コントローラは、通常と同様のカード固有のカード番号の他にデータ領域に書込まれているカード番号も合せて読込み、両方のカード番号で照合を行うというものである。以下より具体的に説明を行う。
【０００９】
実施の形態１．
図１はこの発明の一実施の形態による出入管理装置の一般的なシステム構成を示す図である。汎用のネットワークＮＷにより、カードリーダー３や電気錠４を制御して個人認証を行う端末コントローラ２と通行の条件を設定したり通行の履歴や警報の履歴を収集したりするためのデータ設定端末１が接続されている。一般的に端末コントローラ２はマイコンを使用したコントローラ、データ設定端末１はパソコンやワークステーションで実現される。これらは、扉の数や運用形態により１台から複数台接続される。データ設定端末１と端末コントローラ２には、図２で示す個人識別データである個人番号から各扉の通行可否を判定する通行可否判定テーブルと、図３で示す個人番号とその個人が所持している可搬記憶媒体であるカードのカード番号（可搬記憶媒体自身の固有識別データ）を対応付けする個人情報テーブルを保持している。ただし、端末コントローラ２は図２の通行可否判定テーブルの内、白身が制御している扉の判定に関する部分だけの情報で十分である。データ設定端末１の画面および入力部（特に図示せず）より通行可否の設定変更、すなわち図２および図３のテーブルの設定変更を行うと、その変更が各端末コントローラ２に送信される。
【００１０】
次に図４に従って端末コントローラ２の処理を説明する。まず通行者のカードからカード番号の読み込みと同時にカード内のデータ領域に書き込まれている例えば元のカードのカード番号（以下元カード番号）を読込む（ステップＳ１）。ここでは上記再発行の場合を想定して元カード番号をデータ領域に書き込まれているようにしているが、来訪者用の一時的な臨時カードの場合には通行可否判定で通行が許可されているカードのカード番号が書き込まれている。そして図３の個人情報テーブル内にカード番号に該当する個人番号があるか検索する（ステップＳ２）。
【００１１】
カード番号に該当する個人番号があれば（ステップＳ３）、図２の通行可否判定テーブルで個人番号が該当の扉を通行してよいか調べる（ステップＳ４）。通行可能と判断した場合は（ステップＳ５）、このカードは正規のカードの通行として、個人番号とカード番号をデータ設定端末１に通知する（ステップＳ６）。さらに正規のカードによる通行可のランプ表示やブザー鳴動（報知手段）を行い利用者に通行可能であることを知らせ、さらに必要に応じて警備員等に正規カードによる通行であることを明示するような表示を行う（ステップＳ７）。
【００１２】
次に電気錠４を解錠し（ステップＳ８）、扉が開いて、通行し、扉が閉められるのを待ち（ステップＳ９）、電気錠４を施錠し終了する（ステップＳ１０）。またステップＳ５で個人番号は登録されているが通行を許可されていない場合は、ステップＳ１７へ進み、通行できないことをランプ表示やブザー鳴動で利用者に知らせて終了する。
【００１３】
ステップＳ３で読込んだカード番号に核当する個人番号が登録されていない場合は、ステップＳ１１へ進んで、カード内のデータ領域に書き込まれている元カード番号で図３の個人情報テーブルを検索する。そして元カード番号に該当する個人番号がある場合には（ステップＳ１２）、図２の通行可否判定テーブルで個人番号が該当の扉を通行してよいか調べる（ステップＳ１３）。通行可能と判断した場合は（ステップＳ１４）、臨時のカードによる通行であるとして、個人番号とカード番号をデータ設定端末１に通知する（ステップＳ１５）。さらに臨時のカードによる通行可のランプ表示やブザー鳴動を行い利用者に通行可能であることを知らせ、さらに必要に応じて警備員等に臨時カードによる通行であることを明示するような表示を行う（ステップＳ１６）。
【００１４】
またステップＳ１２で該当する個人番号がなかった場合やステップＳ１４で通行が許可されていない場合は、通行不可時の処理に進み、このカードは通行が許可されないとして、通行不可のランプ表示やブザー鳴動を行い利用者に通行不可であることを知らせ、さらに必要に応じて警備員等に通行不可であることを明示するような表示を行う（ステップＳ１７）。また、このカードは通行が許可されないとして、個人番号とカード番号をデータ設定端末１に通知するようにしてもよい。なおここでは、ステップＳ１〜Ｓ５とＳ１１〜Ｓ１４が通行可否判定手段に相当するが、このような通行可否判定が行えればこれに限定されるものではない。
【００１５】
次に、図５に従って端末コントローラ２から通行通知を受信した場合のデータ設定端末１の処理を説明する。各端末コントローラ２からの通行通知の受信を待ち（ステップＳ１）、受信したらこの通行が正規カードか臨時カードか判断し（ステップＳ２）、正規カードによる通行ならば正規カードによる通行の履歴を記録し（ステップＳ３）、臨時カードならば臨時カードによる通行の履歴を記録する（ステップＳ４）（記録手段）。
【００１６】
なおその後、この結果によりデータ設定端末１の画面および入力部（特に図示せず）よりオペレータにより通行可否の設定変更、すなわち図２および図３のテーブルの設定変更が行なわれると、その変更が各端末コントローラ２に送信される。
【００１７】
以上説明したとおり、本発明による出入管理装置では、すでに設定されている通行条件と同じカードならばデータ設定端末によりデータの変更を行うことなく、以前のカードのカード番号である元カード番号（あるいは通行許可）をデータとして新たなカードに書き込むことにより、新たにカードの発行ができる。これにより、カードを忘れた場合の臨時カードや来訪者に対して一時的に貸し出す臨時カードなどの発行業務を簡単に行うことができる。また、臨時カードを使用したことを通行時や履歴として区別することができるのでセキュリティレベルを下げることなく運用できる。
【００１８】
なお、可搬記憶媒体としての上記カードは可搬記憶媒体の可搬記憶媒体自身の固有識別データであるカード番号が読み出せ、かつ別のカード番号をデータとして書き込めるようなデータ領域を持つものであればカード以外の形態のものであってもよい。
【００１９】
【発明の効果】
以上のようにこの発明によれば、通行人が保持する可搬記憶媒体の可搬記憶媒体自身の固有識別データを読み取り、この固有識別データをもとに通行可否判定を行う出入管理装置において、上記可搬記憶媒体が自らの可搬記憶媒体の可搬記憶媒体自身の固有識別データとは別に、別の可搬記憶媒体の可搬記憶媒体自身の固有識別データをデータとして書き込まれている場合、通行可否判定時に上記可搬記憶媒体の自らの固有識別データによる通行可否判定を行い、通行不可の場合に上記データとして書き込まれている固有識別データによる通行可否判定を行う通行可否判定手段を備えたことを特徴とする出入管理装置としたので、データ設定端末からの変更を行わずに所定の通行権限を所持したカードの発行を行うことができる。
【図面の簡単な説明】
【図１】この発明の一実施の形態による出入管理装置の一般的なシステム構成を示す図である。
【図２】この発明による出入管理装置において使用される通行可否判定テーブルの一例を示す図である。
【図３】この発明による出入管理装置において使用される個人情報テーブルの一例を示す図である。
【図４】この発明による出入管理装置の端末コントローラの処理を説明するフローチャートである。
【図５】この発明による出入管理装置のデータ設定端末の処理を説明するフローチャートである。
【符号の説明】
１  データ設定端末、２  端末コントローラ、３  カードリーダー、４  電気錠。
【図１】
2005030043.tif 000003
【図２】
2005030043.tif 000004
【図３】
2005030043.tif 000005
【図４】
2005030043.tif 000006
【図５】
2005030043.tif 000007